(57)【特許請求の範囲】
【請求項１】
電線が挿入される電線挿入口を備えたハウジングと、ハウジングに導入された電線に接続される端子部と、ハウジングの一面を取付部材に当接させた形で取付部材に固定する取付部とを備え、ハウジングにおいて電線挿入口が開口する面を導入面とし導入面は電線が電線挿入口から引き出される向きにおいてハウジングの前記一面との距離が小さくなるように傾斜し、導入面に開口する電線挿入口の開口面と電線挿入口の中心軸との交点からハウジングにおいて取付部材に当接する一面を含む面内での取付部に至る直線が、電線挿入口の中心軸のうち電線挿入口の外側部分となす角度を９０度よりも小さくするように取付部の位置が設定されていることを特徴とする端子装置。
【請求項２】
前記取付部材は板状であって、前記取付部はハウジングにおいて取付部材に当接する一面よりも突出する一対の脚片を備え、両脚片の先端部には互いの距離を広げる向きに突出するとともに前記取付部材に貫設された取付孔の周部に係止されてハウジングの前記一面との間に取付部材の一部を挟持するフックが形成されて成ることを特徴とする請求項１記載の端子装置。
【発明の詳細な説明】
【０００１】
【発明の属する技術分野】
本発明は、ハウジング内に導入した電線をハウジング内に設けた端子部に接続する端子装置に関するものである。
【０００２】
【従来の技術】
従来より、ハウジングに設けた電線挿入口を通してハウジング内に導入した電線をハウジング内に設けた端子部に接続するようにした端子装置が提供されている。たとえば、実開平２−１３８８６４号公報には、ハウジングにおいて取付部材に当接する面とは反対側の面に電線挿入口が開口する端子装置が開示されている。つまり、ハウジングの下面を取付部材に当接させるとすれば、ハウジングの上面に電線挿入口が形成されることになる。このような構成の端子装置では、電線挿入口に挿入された電線に張力が作用すると、取付部材からハウジングを引き離す向きに大きな力が加わるから、ハウジングを取付部材に対して固定している取付部に電線の引張荷重の大部分が作用することになる。したがって、取付部の強度を大きくする必要があり、大型化につながるという問題がある。
【０００３】
また、特開平５−２０５７９７号公報には、電線挿入口２４と取付部としての取付脚２６’とを図７の関係に設けたものが記載されている。すなわち、ハウジング１の下面に取付脚２６’を突設し、ハウジング１の側面に電線挿入口２４を開口させたものであって、板状である取付部材５に設けた取付孔５ａに取付脚２６’を挿入することによって、ハウジング１を取付部材５に固定するようになっている。また、ハウジング１の内部には端子部として電線を鎖錠する鎖錠片３５ｄが設けられる。
【０００４】
【発明が解決しようとする課題】
図７に示した端子装置は、電線挿入口２４の開口面と電線挿入口２４の中心軸Ｃとの交点から取付脚２６の基部に至る直線が、電線挿入口２４の中心軸のうち電線挿入口２４の外側部分となす角度θが９０度よりも大きくなっている。この場合、電線挿入口２４に挿入された電線に張力Ｆが作用すると、張力Ｆの分力ｆは取付脚２６’を取付部材５から引き抜く向きに作用することになる。つまり、実開平２−１３８８６４号公報に記載のものに比較すると電線に作用する張力に対する取付強度が大きくなっているものの、ハウジング１が取付部材５から外れる可能性が残っている。
【０００５】
本発明は上記事由に鑑みて為されたものであり、その目的は、電線に張力が作用しても取付部材から外れにくい端子装置を提供することにある。
【０００６】
【課題を解決するための手段】
請求項１の発明は、電線が挿入される電線挿入口を備えたハウジングと、ハウジングに導入された電線に接続される端子部と、ハウジングの一面を取付部材に当接させた形で取付部材に固定する取付部とを備え、ハウジングにおいて電線挿入口が開口する面を導入面とし導入面は電線が電線挿入口から引き出される向きにおいてハウジングの前記一面との距離が小さくなるように傾斜し、導入面に開口する電線挿入口の開口面と電線挿入口の中心軸との交点からハウジングにおいて取付部材に当接する一面を含む面内での取付部に至る直線が、電線挿入口の中心軸のうち電線挿入口の外側部分となす角度を９０度よりも小さくするように取付部の位置が設定されているものである。この構成によれば、電線挿入口に挿入された電線に張力が作用しても、その分力はハウジングを取付部材に近付ける向きに作用することになるから、取付部材からハウジングが外れにくく、取付部の強度を比較的小さくすることができる。
【０００７】
請求項２の発明は、請求項１の発明において、前記取付部材が板状であって、前記取付部がハウジングにおいて取付部材に当接する一面よりも突出する一対の脚片を備え、両脚片の先端部には互いの距離を広げる向きに突出するとともに前記取付部材に貫設された取付孔の周部に係止されてハウジングの前記一面との間に取付部材の一部を挟持するフックが形成されているものである。この構成によれば、板状の取付部材に取付孔を形成しておき、取付孔に取付脚を挿入するだけでハウジングを取付部材に固定することができ、取付部材にハウジングを固定する作業が簡単である。
【０００８】
【発明の実施の形態】
図２および図３に示すように、ハウジング１は、一面（図２の上面）が開放されたボディ１０と、一面（図２の下面）が開放されボディ１０の開口側からボディ１０の周壁外周を囲む形に覆着されるカバー２０とを結合して形成される。ボディ１０の周壁外側面には４箇所に組立爪１１が突設され、カバー２０の周壁には各組立爪１１にそれぞれ嵌合する組立孔２１が形成される。したがって、組立爪１１を組立孔２１に嵌合させることにより、ボディ１０とカバー２０とが結合される。ハウジング１には２組の電源端子台２，３と１組の負荷端子台４とが順に配列されている。２組の電源端子台２，３のうちの一方は電源からの電線を接続するために設けられ、他方は送り配線用の電線を接続するために設けられている。通常は、電源端子台２に電源からの電線を接続し、電源端子台３に送り配線用の電線を接続する。
【０００９】
ボディ１０は長方形の一つの角部を矩形状に切欠した形状の底面を有する薄箱状に形成されている。つまり、ボディ１０は直方体の一面に突部を突設した形状に形成されており、この突部が負荷端子台４になる。ボディ１０の内部空間は長手方向（負荷端子台４の突出方向）に延長された２枚の仕切壁１２ａ，１２ｂによって３つの収納室１３ａ〜１３ｃに仕切られている。一方の仕切壁１２ａはボディ１０の幅方向において負荷端子台４を突設している側と残りの側とを仕切るように設けられ、他方の仕切壁１２ｂは負荷端子台４を突設している側の内部空間を幅方向において２分するように設けられている。つまり、仕切壁１２ａとボディ１０の周壁とに囲まれる収納室１３ａと、両仕切壁１２ａ，１２ｂの間の収納室１３ｂと、仕切壁１２ｂとボディ１０の周壁とに囲まれる収納室１３ｃとが形成される。収納室１３ｂ，１３ｃには、ボディ１０の長手方向において負荷端子台４に対応する部位と残りの部位とを仕切る仕切台１４も設けられている。
【００１０】
カバー２０はボディ１０の周壁に沿った周壁を有し、カバー２０においてボディ１０の開口部位を覆う底板には、各電源端子台２，３に対応する部位でそれぞれ端子台部２３が形成されている。各端子台部２３は、負荷端子台４から離れる向きにおいて突出量が多くなるように傾斜した傾斜面２３ａと、この傾斜面２３ａにおける負荷端子台４から遠いほうの一端縁に連続し負荷端子台４から離れる向きにおいて突出量が小さくなるように傾斜した導入面２３ｂとを有する。導入面２３ｂには、電線を挿入するための３個の電線挿入口２４が開口する。また、傾斜面２３ａには後述する解除釦２５が連続一体に形成されている。
【００１１】
カバー２０の長手方向の両端の外側面には、図３に示すように、ボディ１０との結合時にボディ１０の底面よりも突出する取付脚２６がそれぞれ設けられる。ここに、一方の取付脚２６は負荷端子台４の先端面に設けられ、他方の取付脚２６はハウジング１の幅方向において負荷端子台４を設けていない側に設けられており、両取付脚２６の距離が可及的に大きくなるようにしてある。各取付脚２６はそれぞれ先端ほど互いの距離を小さくするように形成された一対の脚片２７を備え、各脚片２７の先端部には互いの距離を大きくする向きおよびカバー２０から離れる向きに突出するフック２７ａが形成されている。各一対の脚片２７に設けた両フック２７ａの外側面は先端側ほど互いの距離を小さくするようにボディ１０の底面に対して傾斜している。ボディ１０の底面にはボス１０ａが突設される。
【００１２】
ハウジング１には負荷端子台４の先端面に２個の電線挿入口１５が開口する。また、カバー２０の底板において負荷端子台４に対応する部位には突台２９が突設され、突台２９には先端面に開口する２個の解除孔２９ａが各電線挿入口１５に対応する部位に設けられる。解除孔２９ａの機能については後述する。
【００１３】
ところで、図２のように、ボディ１０に設けた収納室１３ａには接地用導体３１が収納され、収納室１３ｂ，１３ｃにはそれぞれ電圧用導体３２が収納される。電圧用導体３２は接地用導体３１に負荷接続片３３を設けた形状を有し、負荷接続片３３を除いた部分は接地用導体３１と略同形状になる。ただし、各収納室１３ｂ，１３ｃに配置される電圧用導体３２は、ボディ１０の幅方向における左右が逆になっている。つまり、両電圧用導体３２は仕切壁１３ｂを対称面として略対称に形成されている。
【００１４】
しかして、接地用導体３１は、図１のようにボディ１０の底面に沿って配置される帯板状の主片３５ａの長手方向の２箇所に端子部３４を設けたものであって、各端子部３４は、主片３５ａの側縁に２箇所で連続して主片３５ａに直交する側片３５ｂを有し、主片３５ａの長手方向における側片３５ｂの一端縁には主片３５ａおよび側片３５ｂに直交する基部片３５ｃが延設されている。基部片３５ｃには主片３５ａと反対側の端縁から先端側ほど主片３５ａとの距離を広げるように傾斜した鎖錠片３５ｄが延設される。図４に示すように、鎖錠片３５ｄの先端部は幅方向における一部が切欠されて鎖錠縁３５ｅが形成され、切欠されていない部位は主片３５ａ側に曲成されている。一方、側片３５ｂの先端縁であって基部片３５ｃから離れた部位には半円筒状であって基部片３５ｃに近付くほど主片３５ａとの距離を大きくするように中心軸が傾斜した案内片３５ｆが連続一体に設けられる。案内片３５ｆは内側面が主片３５ａ側を向いており、鎖錠片３５ｄの鎖錠縁３５ｅと案内片３５ｆとの間で電線を挟持することができるようになっている。さらに、主片３５ａの長手方向において側片３５ｂの中間部には主片３５ａの長手方向に沿った短冊状の開口が形成され、開口において主片３５ａから離れた一辺において基部片３５ｃ側の端部には主片３５ａに対向し鎖錠片３５ｄに沿う形で延長された接続片３５ｇが設けられる。接続片３５ｇは側片３５ｂとの連結部位を除いて基部片３５ｃから離れるほど主片３５ａとの距離を大きくするように傾斜する。また、接続片３５ｇの先端部には主片３５ａから離れる向きに凸となるように曲成された接続部３５ｈが形成されている。要するに、接続片３５ｇは側片３５ｂの一部を主片３５ａから切り離すとともに一部のみが側片３５ｂに連続するように短冊状に切り出して形成されている。ここにおいて、鎖錠片３５ｄの先端部は案内片３５ｆの内側面に接触し、接続片３５ｇの先端部は案内片３５ｆとの間に隙間を形成するように配置される。接地用導体３１の主片３５ａの長手方向の中間部には側片３５ｂとは反対向きに折曲された接地片３６も設けられており、接地片３６はボディ１０の周壁に設けた切欠溝１０ａを通してボディ１０の裏面側に突出する。
【００１５】
一方、電圧用導体３２は上述のように負荷接続片３３を除いた部分は接地用導体３１と略同形状になっているが、電圧用導体３２には接地片３６は設けられていない。また、両電圧用導体３２は幅方向においては互いに面対称であって、両電圧用導体３２の案内片３５ｆの距離が大きくなる位置関係に配置される。負荷接続片３３は、電圧用導体３２の主片３５ａにおいて基部片３５ｃと反対側の一端縁に連続しており、主片３５ａに対して側片３５ｂと同じ側に延長された立上片３３ａを有し、立上片３３ａの先端縁に主片３１ａと略平行かつ主片３１ａから離れる向きに延長された端子片３３ｂを備える。端子片３３ｂの先端縁からは立上片３３ａに対向する向きに導入片３３ｃが延長され、導入片３３ｃの先端には導入片３３ｃに沿って立上片３３ａ側に略Ｓ字形の鎖錠片３３ｄが連続して設けられる。導入片３３ｃには図示しない導入孔が形成され、導入孔を通して端子片３３ｂと鎖錠片３３ｄとの間に電線を挿入すると、端子片３３ｂと鎖錠片３３ｄの先端縁との間で電線が抜け止めされた状態で保持されるようになっている。
【００１６】
しかして、接地用導体３１および電圧用導体３２をボディ１０に収納し、ボディ１０にカバー２０を覆着すると、図１のように端子台部２３における傾斜面２３ａに対応する部位の内側面に沿う形で案内片３５ｆが配置される。ここに、接地用導体３１および電圧用導体３２は、主片３５ａの長手方向の中央部の一方の側縁に位置決め凹所３５ｉ（図２参照）を有し、ボディ１０の仕切壁１２ａ，１２ｂに設けた位置決め突起１２ｃに位置決め凹所３５ｉが係合することによって，接地用導体３１と電圧用導体３２とのボディ１０に対する位置合わせが容易になっている。また、カバー２０の内周面には主片３５ａの長手方向の中間部において両端子部３４間に挿入される押さえ片２０ａが設けられ、押さえ片２０ａの先端面とボディ１０との間に主片３５ａが挟まれ、ハウジング１内での接地用導体３１および電圧用導体３２のがたつきが防止される。このようにハウジング１に接地用導体３１と電圧用導体３２とが収納された状態では、電線挿入口２４の中心軸Ｃは、鎖錠片３３ｄに交差しかつ接続片３５ｇの先端部である接続部３５ｈにほぼ接する位置関係になる。
【００１７】
したがって、図１のように、電線挿入口２４にＶＶＦケーブルなどの電線３７を導入すると、図５のように電線３７の先端部に接続部３５ｈが電気的に接触し、かつ電線３７に鎖錠片３５ｄの鎖錠縁３５ｅが食い込んで抜け止めを行うことになる。ここにおいて、鎖錠片３５ｄの幅方向の一側では案内片３５ｆおよび側片３５ｂにより電線３７の位置ずれが防止され、他側では鎖錠縁３５ｅと残りの部位との段差によって電線３７の位置ずれが防止される。
【００１８】
ところで、図１は照明器具などの器具本体５にハウジング１を取り付けた状態を示しており、器具本体５に適宜に設けた取付孔（図示せず）に取付脚２６として設けたフック２７ａを挿入することによって、器具本体５にハウジング１を取り付けることができる。つまり、器具本体５は板状の取付部材であって、取付部材に取付脚２６の先端部間の距離程度に形成した取付孔に、取付脚２６を押し込むとフック２７ａが取付孔の周部に係止され、ハウジング１の取付面（図１の上面）とフック２７ａとによって取付部材（器具本体５）の一部を挟持するようになっている。このように、ねじ締め作業などを伴わずにハウジング１を器具本体５に簡単に取り付けることができる。器具本体５にはボス１０ａおよび接地片３６も挿入される。器具本体５が金属であれば接地片３６を器具本体５に接続することによって器具本体５の接地を容易に行うことができる。図示例では器具本体５に電線用貫通孔５ａが形成されており、電線用貫通孔５ａを通して導入された電線３７を電線挿入口２４に差し込むことによって、電線３７を接続する例を示している。
【００１９】
また、取付脚２６は、上述したようにハウジング１の長手方向の両端部の外側面に設けられている。つまり、電線挿入口２４の開口面と電線挿入口２４の中心軸Ｃとの交点からハウジング１において器具本体５に当接する面（取付面）を含む面と取付脚２６との交点に至る直線が、電線挿入口２４の中心軸Ｃのうち電線挿入口２４よりも外側の部位に対してなす角度θを９０度以下に設定してある。このことによって、電線３７に張力Ｆが作用したときに、その分力ｆはハウジング１を器具本体５に押し付ける向きに作用することになり、器具本体５からハウジング１が浮き上がったり外れたりすることが防止されるのである。
【００２０】
電線挿入口２４の周縁のうち端子台部２３の先端側の一部には傾斜面２３ａに跨る形で切欠された窓溝２４ａが形成される。窓溝２４ａは傾斜面２３ａと導入面２３ｂとに跨る部位において、傾斜面２３ａに沿った断面が矩形状となるように形成されている。ここに、図１に示すように、電線挿入口２４は筒状に形成されており、電線挿入口２４が形成されている導入面２３ｂが傾斜していることによって、電線挿入口２４が内部まで見えやすくなっている。このことに加えて、上述のように窓溝２４ａを形成していることで、電線挿入口２４の内部を一層奥まで見ることが可能になる。その結果、電線３７を電線挿入口２４に導入する際に、電線３７が正しく導入されているか否かを視認しやすくなり、電線３７の結線作業が容易になるのである。
【００２１】
負荷端子台４では電線挿入口１５に負荷電線を挿入すると、端子片３３ｂと鎖錠片３３ｄとの間に電線が導入され、電線が鎖錠片３３ｄにより鎖錠されるのである。この鎖錠状態を解除するには解除孔２９ａに適宜の治具を挿入する。
【００２２】
ところで、上述のように、端子台部２３の傾斜面２３ａには解除釦２５が設けられている。この解除釦２５は電線挿入口２４に挿入された電線３７の鎖錠状態を解除するために設けられたものであり、図２、図３に示すように、導入面２３ｂ側に一端が一体に連続した可撓片２５ａを有し、可撓片２５ａの先端部に釦状の解除操作部２５ｂが設けられている。傾斜面２３ａには解除釦２５の周囲を囲む囲み壁４１が形成されている。可撓片２５ａは一端部が傾斜面２３ａに対して段差の生じないように連続し、さらに可撓片２５ａの両側方では囲み壁４１の先端面と可撓片２５ａとの間に段差が生じないように囲み壁４１が形成されている。また、囲み壁４１において解除操作部２５ｂを囲む部位の先端面に対して、解除操作部２５ｂは若干突出している。つまり、解除操作部２５ｂは傾斜面２３ａに対して比較的大きく突出していることになる。囲み壁４１において解除操作部２５ｂを囲む部位には、可撓片２５ａの延長方向に直交する形で凹所４２が形成されている。凹所４２の底面は傾斜面２３ａよりも凹没しており、解除操作部２５ｂを跨ぐ凹所４２の幅はマイナスドライバのような解除具の幅寸法に略一致するように設定されている。また、解除操作部２５ｂにも凹所４２に対応する部位に凹所２５ｃが形成されている。
【００２３】
解除釦２５における解除操作部２５ｂは、接地用導体３１と電圧用導体３２とにそれぞれ設けられている鎖錠片３５ｄの先端部において鎖錠縁３５ｅの形成されていない部位に当接可能であって、解除操作部２５ｂをハウジング１に押し込むと、鎖錠片３５ｄを案内片３５ｆから離れる向きに撓ませることができる。つまり、鎖錠片３５ｄと案内片３５ｆとの間に挟持された電線３７の鎖錠状態を解除して電線３７を引き抜くことができるようになる。各端子台部２３において解除釦２５は２個ずつ設けられており、一方の解除釦２５は接地用導体３１に対応するように形成され、他方の解除釦２５は２つの電圧用導体３２に跨るように形成されている。
【００２４】
図６に示すものは参考例であって、傾斜面２３ａを形成せずに電線挿入口２４を設ける導入面２３ｂをハウジング１の取付面に対して直交させているものである。ただし、各導入面２３ｂは、上述した実施形態と同様に、電線３７の挿入方向においてずらして位置させてある。この構成においても、取付脚２６はハウジング１の長手方向の両端部の外側面に設けられ、電線挿入口２４の開口面と電線挿入口２４の中心軸Ｃとの交点からハウジング１において器具本体５に当接する面（取付面）を含む面と取付脚２６との交点に至る直線が、電線挿入口２４の中心軸Ｃのうち電線挿入口２４よりも外側の部位に対してなす角度θ１，θ２を９０度以下に設定してある。つまり、電線３７に張力Ｆが作用したときに、その分力ｆはハウジング１を器具本体５に押し付ける向きに作用し、器具本体５からハウジング１が浮き上がったり外れたりすることが防止される。
【００２５】
【発明の効果】
請求項１の発明は、電線が挿入される電線挿入口を備えたハウジングと、ハウジングに導入された電線に接続される端子部と、ハウジングの一面を取付部材に当接させた形で取付部材に固定する取付部とを備え、ハウジングにおいて電線挿入口が開口する面を導入面とし導入面は電線が電線挿入口から引き出される向きにおいてハウジングの前記一面との距離が小さくなるように傾斜し、導入面に開口する電線挿入口の開口面と電線挿入口の中心軸との交点からハウジングにおいて取付部材に当接する一面を含む面内での取付部に至る直線が、電線挿入口の中心軸のうち電線挿入口の外側部分となす角度を９０度よりも小さくするように取付部の位置が設定されているものであり、電線挿入口に挿入された電線に張力が作用しても、その分力はハウジングを取付部材に近付ける向きに作用することになるから、取付部材からハウジングが外れにくく、取付部の強度を比較的小さくすることができるという利点がある。
【００２６】
請求項２の発明は、請求項１の発明において、前記取付部材が板状であって、前記取付部がハウジングにおいて取付部材に当接する一面よりも突出する一対の脚片を備え、両脚片の先端部には互いの距離を広げる向きに突出するとともに前記取付部材に貫設された取付孔の周部に係止されてハウジングの前記一面との間に取付部材の一部を挟持するフックが形成されているものであり、板状の取付部材に取付孔を形成しておき、取付孔に取付脚を挿入するだけでハウジングを取付部材に固定することができ、取付部材にハウジングを固定する作業が簡単であるという利点がある。
【図面の簡単な説明】
【図１】本発明の実施の形態を示す断面図である。
【図２】同上の分解斜視図である。
【図３】同上を示し、（ａ）は平面図、（ｂ）は正面図、（ｃ）は下面図、（ｄ）は左側面図、（ｅ）は右側面図である。
【図４】同上の要部斜視図である。
【図５】同上の要部斜視図である。
【図６】
参考例を示す側面図である。
【図７】従来例を示す要部断面図である。
【符号の説明】
１  ハウジング
５  器具本体
２４  電線挿入口
２６  取付脚
２７  脚片
２７ａ  フック
３４  端子部
３７  電線
Ｃ  中心軸
【図１】
0003649017.tif 000002
【図２】
0003649017.tif 000003
【図３】
0003649017.tif 000004
【図４】
0003649017.tif 000005
【図５】
0003649017.tif 000006
【図６】
0003649017.tif 000007
【図７】
0003649017.tif 000008